(57)【特許請求の範囲】
【請求項１】
履帯式走行車体上に、タンク（１２）・エンジン（Ｅ）・ポンプ（Ｐ）・ノズルを搭載してなる自走式散布機において、該履帯式走行車体の走行フレーム（１）の後部に動力部搭載フレーム（１３）を配設し、該動力部搭載フレーム（１３）の左右側板部間に走行ミッションケース（Ｍ）を配設し、該動力部搭載フレーム（１３）の上面を動力部の搭載面（１３ａ）とし、該搭載面（１３ａ）上にはエンジン（Ｅ）とポンプ（Ｐ）を搭載し、該搭載面（１３ａ）の左右側縁部から後縁部にかけての周囲に沿わせて、動力部保護フレーム（１４）の下部を曲折して固設し、該動力部保護フレーム（１４）の左右前端は、垂直上方に延設され垂直フレーム部（１４ａ・１４ａ）を形成し、更に、該垂直フレーム部（１４ａ・１４ａ）の上端部が後方水平方向に曲折されて、ハンドル部（１４ｂ）を形成し、該垂直フレーム部（１４ａ）が配設されるタンク（１２）後端の左右隅部に切欠部（１２ｂ・１２ｃ）を構成し、該左右の切欠部（１２ｂ・１２ｃ）部分に、左右の垂直フレーム部（１４ａ・１４ａ）の前端部を配置し、更に、一方の切欠部（１２ｂ）に、該垂直フレーム部（１４ａ）と共に、前記タンク（１２）の側面の上端付近と下端付近に、該タンク（１２）の内外を連通するゲージ管継手（１８・１８）を設け、該ゲージ管継手（１８・１８）間に、タンク（１２）内の液面高さ確認用のゲージ管（１９）を配管したことを特徴とする自走式散布機。
【発明の詳細な説明】
【０００１】
【発明の属する技術分野】
本発明は、履帯式走行装置等の走行装置上にタンク、噴孔、及び原動機とポンプとよりなる動力部を搭載してなる、灌水や防除等のための自走式散布機のタンク構造に関する。
【０００２】
【従来の技術】
従来、走行車体（例えば履帯式走行車体）上に、薬液や水等を入れるためのタンク、噴孔、及び原動機とポンプとよりなる動力部を搭載してなる構造の自走式散布機は公知となっており、例えば実公昭５９−２７８５４号公報や実開平７−２８３７６号公報等にて開示されている。この中で、動力部の側方は、ハンドルが保護フレームを兼ねて、動力部を覆う形となっている。また、タンク側面には残量計測のため、ゲージ窓が嵌合されている構造が公知となっている。
【０００３】
【発明が解決しようとする課題】
散布範囲を広く確保し、また、機体の取扱いを軽便にする上で、機体全体はできるだけコンパクトにすることが望ましい。しかしその一方で、長時間の散布作業を可能とするには、タンクの容量を多く取る必要がある。タンクの容量拡大のためには、従来のタンクの形状では、水平方向か、或いは垂直上方にタンクを拡張する手段しかなかったが、これでは、コンパクト化を阻害する。タンクと動力部との間の空間を利用してタンクを拡張すれば、コンパクト性は確保されるものの、ハンドルを兼ねる保護フレームと干渉するという不具合がある。
【０００４】
更に、タンク内の水や薬液の残量を計測するのにゲージ窓を取り付ける構造では、タンクにゲージ窓を嵌め込むための開口部を穿設する点で、樹脂等で一体成形にてタンクを加工する上で、加工が複雑化するという難点がある。
【０００５】
【課題を解決するための手段】
本発明は、以上のような課題を解決するために次のような手段を用いるものである。
履帯式走行車体上に、タンク（１２）・エンジン（Ｅ）・ポンプ（Ｐ）・ノズルを搭載してなる自走式散布機において、該履帯式走行車体の走行フレーム（１）の後部に動力部搭載フレーム（１３）を配設し、該動力部搭載フレーム（１３）の左右側板部間に走行ミッションケース（Ｍ）を配設し、該動力部搭載フレーム（１３）の上面を動力部の搭載面（１３ａ）とし、該搭載面（１３ａ）上にはエンジン（Ｅ）とポンプ（Ｐ）を搭載し、該搭載面（１３ａ）の左右側縁部から後縁部にかけての周囲に沿わせて、動力部保護フレーム（１４）の下部を曲折して固設し、該動力部保護フレーム（１４）の左右前端は、垂直上方に延設され垂直フレーム部（１４ａ・１４ａ）を形成し、更に、該垂直フレーム部（１４ａ・１４ａ）の上端部が後方水平方向に曲折されて、ハンドル部（１４ｂ）を形成し、該垂直フレーム部（１４ａ）が配設されるタンク（１２）後端の左右隅部に切欠部（１２ｂ・１２ｃ）を構成し、該左右の切欠部（１２ｂ・１２ｃ）部分に、左右の垂直フレーム部（１４ａ・１４ａ）の前端部を配置し、更に、一方の切欠部（１２ｂ）に、該垂直フレーム部（１４ａ）と共に、前記タンク（１２）の側面の上端付近と下端付近に、該タンク（１２）の内外を連通するゲージ管継手（１８・１８）を設け、該ゲージ管継手（１８・１８）間に、タンク（１２）内の液面高さ確認用のゲージ管（１９）を配管したものである。
【０００６】
【発明の実施の形態】
本発明の自走式散布機の実施の形態を、添付の図面より説明する。図１は本発明の自走式散布機の正面図、図２は同じく後面図、図３は同じく左側面図、図４は同じく右側面図、図５は同じく平面図、図６は同じく裏面図である。
【０００７】
走行車体である履帯式走行車体の構造より説明し、併せてそれに関連してのタンク搭載構造について説明する。走行フレーム１には、図６の如く、前部よりアイドラ軸２ａ、転輪軸３ａ・３ａを軸支しており、左右各外側において、各軸にアイドラ２、転輪３・３を懸架している。
【０００８】
また、該走行フレーム１の後方には、図２乃至図４や図６の如く、走行ミッションケースＭが配設され、該走行ミッションケースＭより左右に駆動スプロケット軸４ａ・４ａを突設して軸支し、左右各駆動スプロケット軸４ａにそれぞれ駆動スプロケット４を懸架している。
【０００９】
そして、該走行フレーム１の左右各外側に懸架されたアイドラ２、転輪３・３、駆動スプロケット４にそれぞれクローラ（履帯）５を巻回している。該走行フレーム１は、図１の如く、左右のクローラ５・５間において、該クローラ５・５の上下中間部分に配置されており、即ち、走行フレーム１の上面は、該クローラ５の上端より低くなっている。
【００１０】
そして、該走行フレーム１上面の前後にそれぞれ前部タンク搭載フレーム６及び後部タンク搭載フレーム７の各底面部６ａ・７ａを固設しており、両タンク搭載フレーム６・７の左右垂直板部６ｂ・７ｂの上端は、外側水平方向に（正面視Ｌ字状に）曲折させて、左右クローラ５・５の上方位置に、水平板部６ｃ・７ｃを形成している。
【００１１】
タンク１２は、防除用の薬液や灌水用の水を収納するもので、該タンク１２の底部は、この両タンク搭載フレーム６・７の形状に合わせた形状にしている。即ち、図１乃至図４及び図６の如く、左右中央部に下方突設部分１２ａを形成しており、クローラ５・５の上方位置において、タンク１２の底部の左右側部分を、前後タンク搭載フレーム６・７の水平板部６ｃ・７ｃに載置して締止し、左右中央の該下方突設部分１２ａは、垂直板部６ｂ・７ｂに沿って嵌入し、その底面を底面部６ａ・７ａ上に載置している。こうして、下方突設部分１２ａは、左右両クローラ５・５と走行フレーム１とにて囲まれる空間中に嵌入され、タンク１２は、水平方向及び垂直上方にスペースを拡張することなく、容量の拡大を実現できるのである。
【００１２】
前部タンク搭載フレーム６の前端からは、図１、図３乃至図６の如く、水平前方にノズル台８を突設し、その上に垂直上方にノズル取付軸９を立設している。該ノズル取付軸９には、ノズルを直接取り付けられるノズル高さ調節管１０が摺動自在に外嵌されていて、調節螺子１１を緩めて、該ノズル取付軸９におけるノズル高さ調節管１０の高さを調節して、高さが定まったら、該調節螺子１１を締める構成となっている。
【００１３】
次に、車体後部の動力部分について説明する。まず、その支持構造について説明すると、該走行フレーム１の後部にて、その上面に、図２乃至図４、図６の如く、動力部搭載フレーム１３を配設している。該動力部搭載フレーム１３の左右の側板部間には、前記の走行ミッションケースＭが配設されていて、該走行ミッションケースＭを動力部搭載フレーム１３が覆い、保護する構造となっている。該動力部搭載フレーム１３の上面は、動力部の搭載面１３ａとなっていて、その側縁部から後縁部にかけて、動力部保護フレーム１４が配設されている。該動力部保護フレーム１４の左右前端は垂直上方に延設されて、垂直フレーム部１４ａ・１４ａを形成し、更に該垂直フレーム部１４ａ・１４ａの上端部が後方水平方向に曲折されて、ハンドル部１４ｂを形成している。即ち、動力部の保護フレームがハンドルをも兼用しているのである。
【００１４】
垂直フレーム部１４ａ・１４ａの配設部分は、タンク１２後端の左右隅部に該当するが、該タンク１２の後端の左右隅部は、平面視で図５のように抉られていて切欠部１２ｂ・１２ｃを形成しており、垂直フレーム部１４ａ・１４ａの前端を覆う状態となっている。こうして、該タンク１２は、該垂直フレーム部１４ａ・１４ａに干渉することなく、その後端が、左右垂直フレーム部１４ａ・１４ａ間に延設され、即ち、動力部における垂直フレーム部１４ａ・１４ａ間の空間を利用して、タンク１２のスペースを拡張し、これによっても、その容量拡大に寄与しているのである。
【００１５】
なお、タンク１２の右側の切欠部１２ｂは、その内包する垂直フレーム部１４ａよりやや前方に長く形成されており、この部分には、図３の如く、ゲージ管継手１８・１８が上下に配設されており、上下のゲージ管継手１８・１８間には、透明状のゲージ管１９が配管される。該ゲージ管１９内には、タンク１２内に内包される薬液或いは水の液面高さまで薬液或いは水がその底部より入り込み、該ゲージ管１９内の液面を見ることによって、タンク１２内の薬液或いは水の残量を確認することができるのである。また、前記ゲージ管１９を切欠部１２ｂの部分に配設したことによって、ゲージ管１９が機体側方に突出せず、作物や障害物等に干渉や当接しない構成としている。
【００１６】
動力部保護フレーム１４の左右側面においては、図３及び図４の如く、樹脂成形等の保護側板１５・１５が配設され、また、垂直部１４ａ・１４ａ間に左右方向の保護板１６が横設され、更に、上部のハンドル部１４ｂには、図５の如く、上部保護板１７が配設されて、該動力部搭載フレーム１３の上面に搭載する動力部である後記エンジンＥ及びポンプＰの上方、前方、及び左右側方を保護している。
【００１７】
動力部の構造に関して、図２等より説明する。前記の動力部搭載フレーム１３上面の搭載面１３ａには、原動機、即ちエンジンＥと、ポンプＰが搭載されている。エンジンＥは、その下方の走行ミッションケースＭとの間に、チェーンケース２０にて覆われるチェーン伝動機構にて動力を伝動して、左右クローラ走行装置の駆動スプロケット４・４に駆動力を付与し、一方、並設されるポンプＰにもチェーンケース２１にて覆われるチェーン伝動機構を介して動力を伝動する。該ポンプＰは、その動力にて、タンク１２より薬液または水を吸入し、前記ノズル高さ調節管１１に取り付けたノズル（噴孔）に向けて、薬液または水を吐出するものである。
【００１８】
【発明の効果】
本発明は、以上の如く構成したので、次のような効果を奏するものである。
履帯式走行車体上に、タンク（１２）・エンジン（Ｅ）・ポンプ（Ｐ）・ノズルを搭載してなる自走式散布機において、該履帯式走行車体の走行フレーム（１）の後部に動力部搭載フレーム（１３）を配設し、該動力部搭載フレーム（１３）の左右側板部間に走行ミッションケース（Ｍ）を配設し、該動力部搭載フレーム（１３）の上面を動力部の搭載面（１３ａ）とし、該搭載面（１３ａ）上にはエンジン（Ｅ）とポンプ（Ｐ）を搭載し、
該搭載面（１３ａ）の左右側縁部から後縁部にかけての周囲に沿わせて、動力部保護フレーム（１４）の下部を曲折して固設し、該動力部保護フレーム（１４）の左右前端は、垂直上方に延設され垂直フレーム部（１４ａ・１４ａ）を形成し、更に、該垂直フレーム部（１４ａ・１４ａ）の上端部が後方水平方向に曲折されて、ハンドル部（１４ｂ）を形成し、該垂直フレーム部（１４ａ）が配設されるタンク（１２）後端の左右隅部に切欠部（１２ｂ・１２ｃ）を構成し、該左右の切欠部（１２ｂ・１２ｃ）部分に、左右の垂直フレーム部（１４ａ・１４ａ）の前端部を配置し、更に、一方の切欠部（１２ｂ）に、該垂直フレーム部（１４ａ）と共に、前記タンク（１２）の側面の上端付近と下端付近に、該タンク（１２）の内外を連通するゲージ管継手（１８・１８）を設け、該ゲージ管継手（１８・１８）間に、タンク（１２）内の液面高さ確認用のゲージ管（１９）を配管したので、動力部保護フレーム１４に干渉することなく、タンクと動力部との間の空間を利用して、タンクの動力部近接側を拡張できるので、機体のコンパクト性を確保しながら、タンク容量を拡大できる。
即ち、コンパクトながら容量が多く、長時間の散布作業を可能とする自走式散布機を提供できるのである。
【００１９】
また、タンク内の薬液や水の残量計測の手段として、タンク自体は、その加工工程において、切欠部１２ｂを形成し、これにゲージ管１９を付設するだけであるので、ゲージ窓を穿設するのに比して加工が容易化し、低コスト化にも貢献できる。
また、前記ゲージ管１９を切欠部１２ｂの部分に、垂直フレーム部１４ａと共に配設したことによって、ゲージ管１９が機体側方に突出せず、作物や障害物等に干渉や当接しない構成とすることが出来たものである。
【図面の簡単な説明】
【図１】  本発明の自走式散布機の正面図である。
【図２】  同じく後面図である。
【図３】  同じく左側面図である。
【図４】  同じく右側面図である。
【図５】  同じく平面図である。
【図６】  同じく裏面図である。
【符号の説明】
１      走行フレーム
５      クローラ
６      前部タンク搭載フレーム
７      後部タンク搭載フレーム
１２    タンク
１２ｂ  切欠部
１２ｃ  切欠部
１４    動力部保護フレーム
１４ａ  垂直フレーム部
１４ｂ  ハンドル部
１８    ゲージ管継手
１９    ゲージ管
【図１】
0003947579.tif 000002
【図２】
0003947579.tif 000003
【図３】
0003947579.tif 000004
【図４】
0003947579.tif 000005
【図５】
0003947579.tif 000006
【図６】
0003947579.tif 000007